(57)【要約】【課題】画像記録装置の記録ヘッドに対する記録媒体の相対位置を検出する記録媒体検出部を補正して、記録媒体検出部の誤検出を無くすことにより、記録媒体が存在しない記録媒体周辺への記録ヘッドによるインク吐出を防止する。【解決手段】画像記録装置３０に、記録媒体検出部４、記録媒体判別部５及び画像記録装置３０の制御も兼ねる制御部１とを有する記録媒体検出補正装置３１を搭載し、種々の記録媒体における記録媒体情報を記録媒体判別部５が判別すると共に、判別した記録媒体に対応づけされた記録媒体検出部４への補正情報を抽出し、抽出された補正情報に基づいて、制御部１が記録媒体検出部４を補正する。【選択図】図１
2006213468.tif 000002
【特許請求の範囲】
【請求項１】
記録媒体を当該記録媒体に画像記録するための記録ヘッド側へ給送する給送経路と、前記給送経路内に設けられ、前記記録媒体の前記給送経路方向における端部を検出する端部センサと、前記給送経路の下流側で前記記録ヘッドに対向して設けられ、前記記録媒体を載置搬送する搬送情報を生成可能な搬送機構と、を有する画像記録装置に搭載の記録媒体検出補正装置において、
前記記録ヘッドに対する前記記録媒体の相対位置情報を検出する少なくとも１つの記録媒体検出部と、
前記記録媒体検出部の前記記録媒体検出における検出条件を判別する記録媒体判別部と、
前記記録媒体判別部の情報に基づいて、前記記録媒体検出部を補正制御する制御部と、
を具備することを画像記録装置の記録媒体検出補正装置。
【請求項２】
前記記録媒体検出部が、前記給送経路方向に直交する方向における前記記録媒体の両端の位置を検出することを特徴とする請求項１記載の画像記録装置の記録媒体検出補正装置。
【請求項３】
前記検出条件が、前記記録媒体検出部の検知位置から当該検知位置に対向した際の前記記録媒表面までの距離情報を有することを特徴とする請求項１記載の画像記録装置の記録媒体検出補正装置。
【請求項４】
前記記録媒体判別部が、少なくとも前記記録媒体の設定情報入力部及び出力データテーブルを有することを特徴とする請求項１記載の画像記録装置の記録媒体検出補正装置。
【請求項５】
前記設定情報入力部の入力情報が、少なくとも前記記録媒体の厚み情報を有すること特徴とする請求項４記載の画像記録装置の記録媒体検出補正装置。
【請求項６】
前記出力データテーブルが、少なくとも前記記録媒体検出部の前記記録媒体検出時における検出ゲイン値を予め記憶していることを特徴とする請求項４記載の画像記録装置の記録媒体検出補正装置。
【請求項７】
前記記録媒体判別部が、少なくとも記録媒体距離検出部及び演算部を有することを特徴とする請求項１記載の画像記録装置の記録媒体検出補正装置。
【請求項８】
前記記録媒体距離検出部が、前記記録媒体検出部の検知位置から当該検知位置に対向した際の前記記録媒表面までの距離情報を生成することを特徴とする請求項７記載の画像記録装置の記録媒体検出補正装置。
【請求項９】
前記記録媒体距離検出部が、少なくとも前記給送経路内における記録媒体距離検出部の上流側に配置されていることを特徴とする請求項７記載の画像記録装置の記録媒体検出補正装置。
【請求項１０】
前記演算部が、前記記録媒体検出部の前記記録媒体検出時における検出ゲイン値を算出すことを特徴とする請求項７記載の画像記録装置の記録媒体検出補正装置。
【請求項１１】
前記記録媒体検出部は、記録媒体検出のための検出用光源を有し、当該検出用光源は、前記記録媒体判別部の情報に基づいて、前記検出用光源の明るさが可変されることを特徴とする請求項１記載の画像記録装置の記録媒体検出補正装置。
【発明の詳細な説明】
【技術分野】
【０００１】
本発明は、記録ヘッドに対する記録媒体の相対位置情報を検出できるように記録媒体検出部を補正する画像記録装置の記録媒体検出補正装置に関する。
【背景技術】
【０００２】
近年普及している例えばインクジェットプリンタなどのフルライン型画像記録装置は、複数の吐出口が配列された記録ヘッドを有して成り、例えば記録紙、ＯＨＰ用紙、ダンボール又は布等の記録媒体が搬送される搬送方向に対し直交する方向（主走査方向）に記録ヘッドを配設し、当該記録ヘッドの吐出口の下方を移動する記録媒体に対し、それぞれインクを吐出することで文字や画像などを記録する形態である。  
このような画像記録装置においては、記録媒体が給送経路から記録ヘッド側へ搬送される際、記録ヘッドに対する記録媒体の相対位置にずれが生じる場合がある。この相対位置のずれには、例えば記録媒体の主走査方向のずれ、又は記録媒体の搬送方向に対し、記録媒体が斜めに傾くいわゆる斜行などがある。このような相対位置のずれが生じると、例えば記録媒体を搬送ベルト上に載置して搬送する搬送機構においては、記録ヘッドから吐出されたインクが、記録媒体が存在しない、例えば搬送ベルト上等にインクが吐出されて搬送機構を汚す虞がある。このような搬送機構の汚れ（例えば搬送ベルト上）は、後続の記録媒体をも載置搬送した際に汚す虞がある。
【０００３】
例えば特許文献１に記載されている画像記録装置は、図７（ａ）に示すような、ラインセンサ又はイメージセンサ等からなる端部位置検出センサ４３が、記録媒体４１の主走査方向における両端部を検出する構成を開示している。
【０００４】
なお、図７（ａ）においては、記録媒体４１の左端部位置検出のみ示している。
【０００５】
画像記録装置は、この端部位置検出センサ４３における記録媒体４１の端部位置検出結果（図７（ｂ）参照）に基づき、記録媒体４１が存在していない箇所へのインク吐出を停止させることで、記録媒体４１の周囲におけるインク付着による汚れを防止するものである。
【０００６】
図７（ｂ）では、記録媒体４１の左端部位置検出における検出信号が、端部検出前の信号値に対し、充分な信号変化量における検出信号値４３αで検出されていることから、記録媒体４１の左端部位置検出が適正に行なわれることを図示している。
【特許文献１】特開２００１−９６８７４号公報
【発明の開示】
【発明が解決しようとする課題】
【０００７】
前述した特許文献１に記載の画像記録装置は、図８（ａ）又は図８（ｂ）に示されるように、例えば一般記録紙のように比較的薄い記録媒体４１、又はダンボールのように一般記録紙に対し比較的厚い記録媒体４１’に対し、端部位置検出センサ４３は、記録媒体４１又は４１’が端部位置検出センサ４３の下方を通過する過程において、検出用光源４４から記録媒体４１又は４１’に検出光を照射し、この検出光を記録媒体４１又は４１’が反射した反射光を受光することで、記録ヘッド４５と記録媒体４１又は４１’の相対位置を検出している。
【０００８】
このように記録媒体の厚さが異なる場合、図８（ａ）又は図８（ｂ）に示されるように、端部位置検出センサ４３から記録媒体４１又は４１’表面までの距離Ｄに差が生じる。
【０００９】
この距離Ｄと前述した検出信号値４３αとは、一般に距離Ｄが大きくなると検出信号値４３αが減少することが知られている。
【００１０】
従って、例えば端部位置検出センサ４３が、ダンボールように一般記録紙に対し比較的厚い記録媒体４１’の検出に適した検出信号値４３αを生成するためのゲイン値で設定された場合、一般記録紙のように比較的薄い記録媒体４１の検出時において、充分な信号変化量における検出信号値４３αが得られない、即ち誤検出が生じる場合がある。
【００１１】
このような端部位置検出センサ４３の誤検出により、例えば記録ヘッド４５に対する記録媒体４１の両端部位置が正常検出時より外側と検出された場合、記録ヘッド４５は、記録媒体４１が存在しない周囲にインクを吐出して搬送機構を汚すこととなり、また、例えば記録ヘッド４５に対する記録媒体４１の両端部位置が正常検出時より内側と検出された場合、記録媒体４１上に画像記録される画像記録情報の一部が欠如される等の不具合が生じてしまう。
【００１２】
そこで本発明は、厚さ／材質等の異なる種々の記録媒体においても、記録ヘッドに対する記録媒体の相対位置情報を適切に検出できるように記録媒体検出部を補正する画像記録装置の記録媒体検出補正装置を提供することを目的とする。
【課題を解決するための手段】
【００１３】
本発明は目的を達成するために、記録媒体を当該記録媒体に画像記録するための記録ヘッド側へ給送する給送経路と、給送経路内に設けられ、記記録媒体の給送経路方向における端部を検出する端部センサと、給送経路の下流側で記録ヘッドに対向して設けられ、記録媒体を載置搬送する搬送情報を生成可能な搬送機構と、を有する画像記録装置に搭載の記録媒体検出補正装置において、記録ヘッドに対する記録媒体の相対位置情報を検出する少なくとも１つの記録媒体検出部と、記録媒体検出部の記録媒体検出における検出条件を判別する記録媒体判別部と、記録媒体判別部の情報に基づいて、記録媒体検出部を補正制御する制御部と、を具備する画像記録装置の記録媒体検出補正装置である。
【発明の効果】
【００１４】
本発明は、厚さ／材質等の異なる種々の記録媒体においても、記録ヘッドに対する記録媒体の相対位置情報を適切に検出できるように記録媒体検出部を補正する画像記録装置の記録媒体検出補正装置を提供できる。
【発明を実施するための最良の形態】
【００１５】
以下、図面を参照して本発明の各実施形態について詳細に説明する。  
なお、以下各実施形態の説明においては、記録媒体の搬送方向をＸ軸方向又は副走査方向とし、この搬送方向と直交する方向をＹ軸方向又は主走査方向、又は記録媒体の幅方向とし、さらにＸＹ平面に直行する方向をＺ軸方向又は上下方向と定義する。
【００１６】
本発明に係る画像記録装置３０に搭載される記録媒体検出補正装置３１の第１の実施形態について詳細に説明する。
【００１７】
図１は、本発明の第１の実施形態における概念的なブロック図を示している。
【００１８】
図１に示されるように、画像記録装置３０に搭載された記録媒体検出補正装置３１は、画像記録装置３０全体の制御と記録媒体検出補正装置３１の制御とを兼ねる記録媒体位置算出部２、位置データメモリ３を有する制御部１と、給送経路内に設けられ、主走査方向における記録媒体の両端を検出する記録媒体検出部４と、記録媒体検出部４における記録媒体の検出条件を判別する設定情報入力部７、出力データテーブル６を有する記録媒体判別部５と、から構成される。
【００１９】
制御部１は、ＣＰＵ、ＲＡＭ、ＲOＭ、Ａ／Ｄ変換器及びD／Ａ変換器等を有するコンピュータより成り、画像記録装置３０全体及び記録媒体検出補正装置３１を制御する。記録媒体検出補正装置３１の記録媒体位置算出部２は、記録媒体検出部４の検出情報に基づいて、記録ヘッド１３の主走査方向に複数形成されたインク吐出口の位置に対応づけされる相対位置データを位置データメモリ３に記憶する。
【００２０】
記録媒体検出部４は、例えばＣＣＤ等のラインセンサ又はイメージセンサ等で構成され、記録媒体検出部４が検出した記録媒体両端の位置情報（アナログ検出信号）は、制御部１によりＡ／Ｄ変換された後、記録媒体位置検出部２に通知される。
【００２１】
記録媒体判別部５の設定情報入力部７は、例えば記録媒体の材質、大きさ（定型／不定形サイズ）及び厚さ等におけるオペレータが操作入力する種々の記録媒体の設定情報を入力して制御部１に通知するものであり、画像記録装置３０の不図示のオペレータ操作パネル内に設けてもよいし、別途専用のオペレータ操作パネルに設けてもよい。
【００２２】
記録媒体判別部５の出力データテーブル６は、設定情報入力部７により入力設定された、種々の記録媒体情報に対応づけされる記録媒体検出部４が記録媒体を検出する際の複数のゲイン値を予め記憶している。
【００２３】
また、記録媒体検出補正装置３１を有する画像記録装置３０は、給送経路内の記録媒体検出部４の上流側に設けられ、記録媒体の副走査方向における端部を検出する端部センサ１０と、画像記録される画像データを予め記憶する画像データメモリ１１と、画像データメモリ１１に記憶された画像データに基づき、画像記録動作を行なう記録ヘッド駆動部１２及び記録ヘッド１３と、画像記録の過程において、記録媒体を載置搬送する搬送情報生成部９を有する搬送機構８と、から構成される。
【００２４】
端部センサ１０は、記録媒体を例えば上下方向で挟持するように投光部と、当該投光部に対向して受光部を設けた透過型の光センサで構成する。
【００２５】
次に、画像記録装置３０に搭載された記録媒体検出補正装置３１における制御系を除く各構成要素の配置例と、画像記録装置３０の動作について図２を参照して説明する。
【００２６】
図２に示されるように、制御部１により画像記録動作が開始されると、搬送機構８（詳細は後述する。）が駆動されると共に、記録媒体２１を複数枚収納する供給カセット２２の上方に設けられた給送ローラ２３により、記録媒体２１が１枚毎ピックアップされて給送経路内の下流側へ搬送される。搬送された記録媒体２１は、主走査方向に略平行に設けられたレジストレーションローラ対２４に当接され、その後、所定時間だけ給送ローラ２３によりレジストレーションローラ対２４に当接したまま送り込まれることで、記録媒体２１は、副走査方向に対し略平行に矯正される。
【００２７】
この記録媒体２１に対する矯正は、記録媒体２１の斜行について矯正するものであり、主走査方向の位置ずれについては矯正されない。
【００２８】
レジストレーションローラ対２４は、矯正された記録媒体２１を挟持して端部センサ１０側へ搬送する。端部センサ１０が、記録媒体２１の副走査方向における例えば記録媒体先端２１ａを検出すると、制御部１は、搬送機構８の搬送情報生成部９に対し、搬送情報生成のためのトリガ情報を通知すると共に、検出用光源２６を点灯させる。
【００２９】
検出用光源２６は、記録媒体検出部４における記録媒体先端２１ａの検出が終了してから所定の時間経過後に、後続の記録媒体２１に対する記録媒体検出部４による検出が開始されない場合に消灯される。このように検出用光源２６を制御することで、検出用光源２６の製品寿命を長くすることができる。
【００３０】
検出用光源２６は、好ましくは材質等が異なる種々の記録媒体２１に対し反射率が高く、後述の搬送ベルト２７に対し反射率が低い、さらに記録媒体２１及び記録媒体２１周辺の搬送ベルト２７に対し、均一な明るさの検出光で照射できる検出用光源がよい。
【００３１】
搬送機構８は、記録ヘッド１３のインク吐出口に対向して設けられ、副走査方向に所定の距離に離間して配置された少なくとも２つの従動ローラ２５ａ及び駆動ローラ２５ｂに無端の搬送ベルト２７を回動可能に架設すると共に、無端の搬送ベルト２７の内側上方に設けられた平板部材３３に複数の孔３３ａを有し、平板部材３３の下方に吸引ファン３２を有するプラテン３４を設けることで、搬送ベルト２７上に記録媒体２１を吸着して載置搬送する。
【００３２】
駆動ローラ２５ｂは、不図示の例えばモータ駆動により搬送ベルト２７を回動し、この搬送ベルト２７の回動により従動ローラ２５ａが回動されることによって、搬送情報生成部９における例えばエンコーダから生成されたパルス信号が制御部１に通知される。
【００３３】
この端部センサ１０の検出情報をトリガ情報として生成される搬送情報生成部９におけるエンコーダパルス信号は、搬送機構８の搬送ベルト２７上に吸着された記録媒体２１に対する記録媒体検出部４の両端検出、及び記録ヘッド１３が記録媒体２１上に画像記録する際の同期信号であり、制御部１は、予め記録媒体検出部４の記録媒体２１の両端検出開始におけるパルス数と、記録ヘッド１３の記録媒体２１に対する画像記録動作開始におけるパルス数を記憶しており、搬送情報生成部９におけるエンコーダパルスが記憶したパルスと一致した際に、記録媒体２１の両端検出、又は記録ヘッド１３の画像記録動作を開始する。
【００３４】
記録媒体検出部４は、制御部１より記録媒体２１に対する両端検出開始の通知を受けると、搬送情報生成部９におけるエンコーダパルス数に対応づけしながら、搬送機構８の搬送ベルト２７上に吸着された記録媒体２１の両端位置データを搬送の過程で検出する。
【００３５】
この両端位置データは、画像記録装置３０の画像データメモリ１１に予め格納された画像記録情報を画像記録する際の、１ライン画像情報の画像記録動作に対応づけされる。
【００３６】
以上より、記録媒体検出部４が検出した記録媒体２１の両端位置情報（アナログ検出信号）は、制御部１によりＡ／Ｄ変換され、記録媒体位置検出部２が、Ａ／Ｄ変換後の検出位置情報に基づいて、記録ヘッド１３の主走査方向に複数形成されるインク吐出口の位置に対応づけされた相対位置データとして位置データメモリ３に記憶される。
【００３７】
制御部１は、画像記録装置３０の画像データメモリ１１に予め格納された画像記録情報に基づいて画像記録する際の１ライン画像情報の画像記録動作を、位置データメモリ３に記憶された相対位置データに基づいて、記録ヘッド駆動部１２を制御して記録ヘッド１３に画像記録させることで、例えば前述した記録媒体２１が存在しない周囲へのインク吐出を防止する。
【００３８】
このようにして画像記録された後の記録媒体２１は、搬送機構８の下流側に設けられた排送ローラ２８対に挟持され、さらに下流側に設けられた収納部２９に収納される。
【００３９】
なお、図２に示されるように、本第１の実施形態では記録ヘッドを１個の記録ヘッド１３で示しているが、これに限定されるものではなく、例えば複数色のインクにおけるブラック（Ｋ）、シアン（Ｃ）、マゼンタ（Ｍ）及びイエロー（Ｙ）等に対応する複数の記録ヘッドを設けてもよい。
【００４０】
また、記録媒体検出部４は、１個に限定されるものではなく、例えば記録媒体２１の主走査方向における左端部及び右端部を別々に検出するように２個設けてもよい。
【００４１】
また、端部センサ１０は、副走査方向における記録媒体先端２１ａを検出するに限定されるものではなく、端部センサ１０が記録媒体２１の後端を検出する際の記録媒体２１の位置が、記録媒体検出部４が記録媒体２１の両端検出を開始する位置でない場合、記録媒体２１の後端検出でもよい。
【００４２】
次に、記録媒体検出補正装置３１の記録媒体検出部４に対する補正について説明する。
【００４３】
記録媒体検出補正装置３１の記録媒体判別部５における設定情報入力部７により、画像記録装置３０が画像記録動作を開始する前に、例えば記録媒体の材質、大きさ（定型／不定形サイズ）及び厚さ等の異なる種々の記録媒体２１の設定情報（１，２…ｎ−１，ｎ）の中からｎが設定されると、記録媒体判別部５の出力データテーブル６は、ｎの記録媒体２１の設定情報に対応づけされた、記録媒体検出部４が記録媒体２１を検出する際の最適のゲイン値におけるデジタルデータを制御部１に通知する。
【００４４】
通知を受けた制御部１は、ゲイン値におけるデジタルデータをＤ／Ａ変換し、アナログデータを記録媒体検出部４に設定する。
【００４５】
これにより、記録媒体検出部４は、画像記録装置３０の画像記録動作時において、画像記録装置３０の給送経路内を搬送される記録媒体２１の両端部位置を、常に充分な信号変化量における検出信号値を確保しながら検出するので、誤検出することがない。
【００４６】
以上、本発明の第１の実施形態によれば、厚さ／材質の異なる種々の記録媒体２１においても、記録ヘッド１３に対する記録媒体２１の相対位置情報を適切に検出できるように記録媒体検出部４を補正することができる。
【００４７】
これにより、画像記録装置３０は、一般記録紙及びダンボールように一般記録紙に対し比較的厚い記録媒体２１に対しても、常に記録ヘッド１３に対する記録媒体２１の適切な相対位置情報に基づいて画像記録を行なうので、記録媒体２１が存在しない周囲へのインク吐出を確実に防止することができる。
【００４８】
次に、本発明に係る画像記録装置３０に搭載される記録媒体検出補正装置３１の第２の実施形態について詳細に説明する。  
図３は、本発明に係る第２の実施形態における概念的なブロック図を示している。
【００４９】
図４は、画像記録装置３０に搭載された記録媒体検出補正装置３１における制御系を除く各構成要素の配置例を示している。
【００５０】
なお、図１乃至図２と同一部分には同じ符号を付し、前述した第１の実施形態と共通の作用及び効果についてはその詳細な説明を省略する。
【００５１】
本第２の実施形態では、図３に示されるように、前述の第１実施形態おける記録媒体判別部５が出力データテーブル６及び設定情報入力部７を有していたのに対し、代わりに演算部１４及び記録媒体距離検出部１５を有する構成である。
【００５２】
記録媒体判別部５の記録媒体距離検出部１５は、図４に示されるように、給送経路内に設けられ、記録媒体距離検出部１５の検出端部１５ａから記録媒体２１表面までの距離Ｄ１を検出するものである。
【００５３】
記録媒体判別部５の記録媒体距離検出部１５は、図５に示されるように、例えば記録媒体２１表面までの距離Ｄ１に対し、線形に所定の出力電圧値を出力する反射型の光センサで構成する。
【００５４】
このように、記録媒体距離検出部１５により検出された距離Ｄ１に対応づけされた所定の出力電圧値は、記録媒体判別部５の演算部１４に通知される。
【００５５】
記録媒体判別部５の演算部１４は、図６に示されるように、例えば記録媒体距離検出部１５により通知された出力電圧値に基づいて、記録媒体検出部４に設定される記録媒体２１検出時のゲイン値を線形に出力する構成とし、その求められたゲイン値を制御部１に通知する。
【００５６】
制御部１は、記録媒体判別部５の演算部１４より通知されたゲイン値を記録媒体検出部４の記録媒体２１検出時のゲイン値として設定する。
【００５７】
記録媒体判別部５の演算部１４は、記録媒体検出部４に対して設定されるゲイン値を制御部１に通知する際、例えば演算部１４にＡ／Ｄ変換器を設け、このＡ／Ｄ変換器により、一旦記録媒体検出部４に対し設定されるゲイン値に対応づけされるデジタルデータに変換してから通知してもよい。この場合、制御部１は、通知されたデジタルデータを再びＤ／Ａ変換してから、ゲイン値を記録媒体検出部４の記録媒体２１検出時のゲイン値として直接設定してもよいし、制御部１が予め、通知されるデジタルデータに対応づけされるゲイン値の出力データテーブルを設け、その求められた出力データテーブルのゲイン値を記録媒体検出部４に対し設定してもよい。
【００５８】
なお、このようにして記録媒体検出部４に対し設定されるゲイン値は、画像記録装置３０が実際に画像記録する種々の記録媒体２１に対し、記録媒体２１の両端部位置を、前述した充分な信号変化量における検出信号値で検出するためのゲイン値であることは言うまでもない。
【００５９】
以上、本発明の第２実施形態によれば、厚さ／材質等の異なる種々の記録媒体２１においても、記録ヘッド１３に対する記録媒体２１の相対位置情報を適切に検出できるように記録媒体検出部４を補正することができる。
【００６０】
また、本発明の第２の実施形態によれば、前述した本発明の第１実施形態の設定情報入力部７におけるオペレータによる設定を省略することができる。
【００６１】
また、本発明は、前述した第１の実施形態及び第２の実施形態に限定されるもので
はなく、実施の段階では、その要否を逸脱しない範囲で構成要素を変形して具体化できる。
【００６２】
例えば、前述した第１の実施形態及び第２の実施形態における記録媒体検出補正装置３１は、記録媒体検出部４が記録媒体２１を検出する際のゲイン値を補正していたが、これに限らず、記録媒体検出部４が記録媒体２１を検出する際のゲイン値は補正せずに一定とし、代わりに検出用光源２６の明るさを補正することでも実現できる。  
また、前述した第２の実施形態における記録媒体判別部５の記録媒体距離検出部１５は、給送経路内の端部センサ１０の下流側に配置されているが、これに限らず、少なくとも給送経路内の記録媒体検出部４の上流側に配置されていればよい。
【００６３】
また、前述した第２の実施形態における記録媒体判別部５の記録媒体距離検出部１５は、給送経路内の端部センサ１０の下流側に配置されているが、これに限らず、例えば記録媒体距離検出部１５の記録媒体距離検出機能を、画像記録装置３０の端部センサ１０に具備する、即ち端部センサ１０を、記録媒体の端部検出と記録媒体距離検出との両機能を有するセンサに変更し、記録媒体距離検出部１５を除いてもよい。  
また、本発明は、第１の実施形態及び第２の実施形態に開示されている複数の構成要素の適宜組み合わせにより種々の発明を形成できる。例えば、第１の実施形態及び第２の実施形態に示される全体構成から幾つかの構成要素を削除してもよいし、さらに異なる実施形態に亘る構成要素を適宜組み合わせてもよい。
【図面の簡単な説明】
【００６４】
【図１】本発明に係る画像記録装置の第１の実施形態における概念的なブロック図である。
【図２】第１の実施形態に係る制御系を除く各構成要素の配置例を示す図である。
【図３】本発明に係る画像記録装置の第２の実施形態における概念的なブロック図である。
【図４】第２の実施形態に係る制御系を除く各構成要素の配置例を示す図である。
【図５】第２の実施形態に係る記録媒体距離検出部が検出する距離Ｄ１と出力電圧値との関係を説明するための図である。
【図６】第２の実施形態に係る記録媒体検出部のゲイン値と記録媒体距離検出部の出力電圧値との関係を説明するための図である。
【図７】従来の画像記録装置に係る記録媒体検出部による記録媒体の幅方向における端部検出を説明するための図である。
【図８】従来の画像記録装置に係る記録媒体検出部による厚さの異なる記録媒体の幅方向における端部検出を説明するための図である。
【符号の説明】
【００６５】
１：制御部、２：記録媒体位置算出部、３：位置データメモリ、４：記録媒体検出部、５：記録媒体判別部、６：出力データテーブル、７：設定情報入力部、
８：搬送機構、９：搬送情報生成部、１０：端部センサ、
１１：画像データメモリ、１２：記録ヘッド駆動部、１３：記録ヘッド、
１４：演算部、１５：記録媒体距離検出部、２１：記録媒体、２１ａ：記録媒体先端、２２：給送カセット、２３：給送ローラ、２４：レジストレーションローラ対、
２５ａ：従動ローラ、２５ｂ：駆動ローラ、２６：検出用光源、２７：搬送ベルト、
２８：排送ローラ対、２９：収納部、３０：画像記録装置、３１：記録媒体検出補正装置、３２：吸引ファン、３３：平板部材、３３ａ：孔、３４：プラテン。
【図１】
2006213468.tif 000003
【図２】
2006213468.tif 000004
【図３】
2006213468.tif 000005
【図４】
2006213468.tif 000006
【図５】
2006213468.tif 000007
【図６】
2006213468.tif 000008
【図７】
2006213468.tif 000009
【図８】
2006213468.tif 000010